(57)【要約】【課題】マイクロホンで電気信号に変換された音声信号にノイズが乗ることを防止することができるコンデンサーマイクロホンのコネクタおよびそのシールド方法を提供する。【解決手段】  圧縮スリーブ３０がマイクロホンケーブル２０に結合され、小径円筒部３２は、シールド線の折り返し部２１の外周側に圧縮されることによって圧縮スリーブ３０とシールド線が電気的に接続され、大径円筒部３１は、コネクタ部６０とマイクロホンケーブル２０の接続部に被せられ、大径円筒部３１とコネクタハウジング５０が嵌まり合い、ブッシュ４０は、圧縮スリーブ３０を覆い、大径円筒部３１の外周は、コネクタハウジング５０の内周に圧接し、大径円筒部３３は、外周面に鍔部３３を有し、この鍔部３３がコネクタハウジング５０のマイクロホンケーブル２０側端部と、ブッシュ内周の肩４３によって圧接している。【選択図】        図１
2011087049.tif 000002
【特許請求の範囲】
【請求項１】
小径円筒部と大径円筒部を有しシールド材からなる圧縮スリーブと、
芯線とシールド線を有し、端部において上記シールド線の折り返し部を有するマイクロホンケーブルと、
上記マイクロホンケーブルの芯線とシールド線が接続されるコネクタ部と、
上記コネクタ部を覆うコネクタハウジングと、
上記コネクタハウジングを嵌めこみ、内周に上記圧縮スリーブの大径円筒部に接合する肩を持つブッシュと、を具備し、
上記圧縮スリーブの上記小径円筒部は、上記マイクロホンケーブルの端部におけるシールド線の折り返し部の外周側に嵌められて圧縮されることによって上記圧縮スリーブと上記シールド線が電気的に接続されるとともに、上記圧縮スリーブが上記マイクロホンケーブルに結合されており、
上記圧縮スリーブの上記大径円筒部は、上記コネクタ部と上記マイクロホンケーブルの接続部に被せられ、
上記圧縮スリーブの上記大径円筒部と上記コネクタハウジングが嵌まり合い、
上記ブッシュは、上記圧縮スリーブを覆い、
上記圧縮スリーブの上記大径円筒部の外周は、上記コネクタハウジングの内周に接し、
上記圧縮スリーブの上記大径円筒部は、外周に鍔部を有し、この鍔部が上記コネクタハウジングの端部と、上記ブッシュの上記肩によって挟み込まれていることを特徴とするコンデンサーマイクロホンのコネクタ。
【請求項２】
圧縮スリーブの小径円筒部と大径円筒部の間には、半径方向に広がる段部が形成されていて、この段部に鍔部を有している請求項１に記載のコンデンサーマイクロホンのコネクタ。
【請求項３】
圧縮スリーブは、上記圧縮スリーブの鍔部とともに一体成形されている請求項１または２に記載のコンデンサーマイクロホンのコネクタ。
【発明の詳細な説明】
【技術分野】
【０００１】
本発明は、コンデンサーマイクロホンに使用するコネクタ、特にそのシールド構造およびシールド方法に関するものである。
【背景技術】
【０００２】
コンデンサーマイクロホンでは、マイクロホンユニットのインピーダンスが高いことから、ＦＥＴ（電界効果型トランジスタ）などを有してなるインピーダンス変換器が用いられている。
【０００３】
タイピン型マイクロホンやグースネック型マイクロホンにおいては、マイクロホンが目立たないようにするために、マイクロホンユニット部にインピーダンス変換器を内蔵し、マイクロホンユニット部とは別に設けた回路収納部に、ローカット回路、出力回路を収納し、専用のマイクケーブルで上記マイクロホンユニット部と回路収納部を接続している。マイクロホンユニット部では音声を電気信号に変換し、この音声信号は、上記回路収納部に伝達され、回路収納部に内蔵された出力回路から出力されるように構成されている。上記ローカット回路、出力回路を内蔵した回路収納部のことを、パワーモジュール部と称している。
【０００４】
マイクロホンユニット部とパワーモジュール部とを接続する専用のマイクロホンケーブルは２芯のシールドケーブルである。このマイクロホンケーブルは、コンデンサーマイクロホンに電源を供給する電源線と、インピーダンス変換器から出力される音声信号をパワーモジュール部に入力する信号線と、これらを静電遮蔽し接地するシールド線で構成されている。
【０００５】
専用のマイクロホンケーブルの部分において音声信号は不平衡で伝送されるため、外部からの雑音に弱い。すなわち、外部からの電磁波の影響を受けやすいという難点がある。より具体的には、専用のマイクロホンケーブル部に外部から電磁波が到達すると、このマイクロホンケーブル部を通じて電磁波がマイクロホンユニット部あるいはパワーモジュール部の内部に入り込み、これらユニット部あるいはモジュール部を構成している半導体素子で検波され、これがノイズとなって音声信号に混入することになる。
【０００６】
マイクロホン出力は、パワーモジュール部から平衡シールドケーブルで出力される。強い電磁波がマイクロホンあるいはマイクロホンの出力ケーブルに加えられると、高周波電流はマイクロホンケーブルを伝わりマイクロホンコネクタを介しマイクロホン内部に入り込み、インピーダンス変換部で復調され、可聴周波数の雑音としてマイクロホンから出力されてしまう。
【０００７】
マイクロホンに対して上記マイクロホンケーブルは、３ピンのマイクロホンコネクタ（ＥＩＡＪ ＲＣ−５２３６「音響機器用ラッチロック式丸型コネクタ」で規定されるコネクタ）によって着脱できるように構成されている。上記３ピンのマイクロホンコネクタは、１番ピンが接地、２番ピンが信号のホット側、３番ピンが信号のコールド側として一般に使用されている。
【０００８】
通常のマイクロホンケーブルに取り付けられるコネクタは、ケーブルの芯線とシールド線が、コネクタの互いに接触する雄型と雌型の部品に半田等で直接接続され、金属で作成されたコネクタのハウジングには１番ピンがリード線を介して接続される。このため、マイクロホンケーブルのシールドとコネクタハウジングの間には高周波に関してインピーダンスを持ち、この部分から高周波電流が入り込む。
【０００９】
図４は、専用マイクロホンケーブルに使用するコンデンサーマイクロホンのコネクタ部の従来例を示す。図４において、符号１０はコネクタ部を示している。コネクタ部１０は雌型で、図示されないマイクロホン側の雄型コネクタが差し込まれることによって雌型のコネクタ部１０と雄型のコネクタが電気的に接続されるようになっている。コネクタ部１０はいわゆる３ピン型で、マイクロホン側の雄型コネクタと嵌まり合う３個のピンと、これらのピンと電気的に一体でコネクタ部１０の後端から突出した端子板を有している。各端子板にはマイクロホンケーブル２０の一端側の芯線２３，２４およびシールド線２２がそれぞれ半田付けによって接続されている。マイクロホンケーブル２０の外周側には絶縁スリーブ６０が通され、その後ろ側からスリーブ７０が通され、さらにその後からブッシュ４０が通されている。
【００１０】
絶縁スリーブ６０はマイクロホンケーブル２０の一端側とコネクタ部１０との接続部を囲むことによって、この接続部を保護するとともにこの接続部がショートするのを防止するためのもので、コネクタ部１０の外径とほぼ同じ外径の部材である。スリーブ７０は、マイクロホンケーブル２０の一端側とコネクタ部１０との接続部を空間的な余裕を持って囲み、絶縁スリーブ６０の外径とほぼ同じ内径の円筒部７１と、マイクロホンケーブル２０の絶縁被覆からなる外周面を圧縮してマイクロホンケーブル２０と一体化するための爪部７２を有してなる。ブッシュ４０は、マイクロホンケーブル２０の外径よりわずかに大きな内径を持つテーパー状の根元部４１と、スリーブ７０を覆うことができ根元部４１よりも大径のカバー部４２を有してなる。
【００１１】
コネクタ部１０は、円筒状のコネクタハウジング５０に嵌められる。コネクタハウジング５０はコネクタ部１０、絶縁スリーブ６０、およびスリーブ７０の円筒部７１を覆うことができるだけの長さを有している。コネクタハウジング５０の後端外周は、ブッシュ４０の前端内周に嵌まるように構成されている。
【００１２】
また、図４（ａ）（ｂ）（ｃ）は組み立て順を示している。図４（ａ）で示すように、コネクタ部１０の各端子板にマイクロホンケーブル２０の各線を半田付けしてマイクロホンケーブル２０をコネクタ部１０に接続する。この半田付け後または半田付け前に、マイクロホンケーブル２０に絶縁スリーブ６０、スリーブ７０を通し、図４（ｂ）で示すように絶縁スリーブ６０の前端をコネクタ部１０の後端に突き当て、さらに絶縁スリーブ６０の後端にスリーブ７０の円筒部７１の前端を突き当て、スリーブ７０の爪部７２を圧縮して、スリーブ７０をマイクロホンケーブル２０に結合する。次に、図４（ｃ）で示すように、コネクタ部１０、絶縁スリーブ６０、およびスリーブ７０の円筒部７１に被せたコネクタハウジング５０の後端部外周をブッシュ４０の前端内周に嵌めて、コネクタハウジング５０とブッシュ４０を一体化する。こうすることによって、コネクタハウジング５０およびブッシュ４０とともにコネクタ部１０、絶縁スリーブ６０、スリーブ７０およびマイクロホンケーブル２０が一体的に結合された形でコネクタが構成されている。
【００１３】
図４に示す従来例は、マイクロホンケーブル２０を固定するスリーブ７０にシールド線２２を接続し、これをコネクタハウジング５０に内接させることによってコネクタの部分をシールドする構造になっている。しかしながら、コネクタハウジング５０とマイクロホンケーブル２０の間に絶縁スリーブ６０とスリーブ７０が介在して、コネクタハウジング５０とマイクロホンケーブル２０のシールド線が電気的に不連続になっており、この不連続の部分が外部からの高周波に対して開口部（ないしは開放部）となっていて、ここから電波が入り込むという難点がある。
【００１４】
図４に示す従来例に見られる上記の問題点を解消するために、図５に示すマイクロホンケーブルのシールド構造も提案されている。図５において、マイクロホンケーブル２０の一端部で、芯線の外側に被せられているシールド線を外側に折り返してマイクロホンケーブル２０のシースの上に被せ、このシールド線の折り返し部２１の外側にスリーブ８０の小径円筒部８１を通し、この小径円筒部８１を圧縮して、スリーブ８０と上記シールド線を電気的に接続するとともに、スリーブ８０をマイクロホンケーブル２０に結合している。スリーブ８０は、コネクタハウジング５０の後端の内径と同じ外径の大径円筒部８３を有していて、この大径円筒部８３の外周には、コネクタハウジング５０が嵌められ、スリーブ８０とコネクタハウジング５０が電気的に接続されている。
【００１５】
図５に示す従来例は、コネクタハウジング５０とスリーブ８０を電気的に接触させてシールド構造を連続させ、図４に示す従来例よりもシールド効果を高めることを狙っている。しかしながら、コネクタハウジング５０とスリーブ８０は端面同士が対向して押し付けられるに過ぎないから、点接触になっていて、十分なシールド効果を得ることができない。
【００１６】
図６は、特許文献１に記載されているマイクロホンコネクタのシールド構造を示している。図６において、コネクタ１０、絶縁スリーブ６０、および圧縮スリーブ３０の大径円筒部３１に被せたコネクタハウジング５０の後端部外周をブッシュ４０の前端部内周に嵌めて、コネクタハウジング５０とブッシュ４０を一体化するものが提案されている。こうすることによって、コネクタハウジング５０とブッシュ４０とともにコネクタ部１０、絶縁スリーブ６０、圧縮スリーブ３０およびマイクロホンケーブル２０が一体的に結合された形でコネクタが構成されている。この従来例によれば、コネクタ部１０とマイクロホンケーブル２０の接続部は圧縮スリーブ３０の大径円筒部３１で覆われ、圧縮スリーブ３０の小径円筒部３２はマイクロホンケーブル２０の端部におけるシールド線の折り返し部２２の外周側に嵌められ、かつ、圧縮されてマイクロホンケーブル２０のシールド線と電気的に接続され、また、圧縮スリーブ３０の大径円筒部３１はコネクタハウジング５０と嵌り合っているため、マイクロホンケーブル２０のシールド線からコネクタハウジング５０に至るまで、コネクタ部１０とマイクロホンケーブル２０の接続部が連続してシールドされることになり、コネクタ部１０とマイクロホンケーブル２０の接続部のシールド効果が高まる。
【００１７】
特許文献２に記載の発明においては、図６に示す特許文献１記載の構成に加えて、図７に示すように、上述の圧縮スリーブ３０の大径円筒部３１とコネクタハウジング５０が、縦断面形状波形で弾性材からなる導電スリーブ７０の介在のもとに嵌まり合っているコネクタが提案されている。導電スリーブ７０が圧縮スリーブ３０とコネクタハウジング５０とを複数の点で電気的に一体に接続する。また、導電スリーブ７０の代わりにコンデンサー構造になっているコンデンサースリーブを使用し、シールドを直流的に分離することも提案されている。
【００１８】
特許文献１と特許文献２に記載の発明では、圧縮スリーブ３０の外側とコネクタハウジング５０の内側を接することによってシールドを構成していた。そのため電磁波が、例えば図６の矢印Ａで示すようにコネクタハウジング５０とブッシュ４０と圧縮スリーブ３０の隙間からコネクタハウジング５０内部に入り込んでしまうことがあった。電磁波は、ある装置に少しでも隙間があると、矢印Ａで示すように液体が流れ込むようにその隙間に侵入し、電磁波の侵入を許すとマイクロホンにノイズが発生する。
【００１９】
これまで述べてきたように、従来、コネクタの部分のシールドは重要視されていなかった。そのため、コネクタの部分から電磁波が進入し、音声信号にノイズが混入する原因となっている。
【００２０】
特に、近年のように携帯電話などの普及によって、高周波の電磁波があらゆる場所に身近に存在していると、高周波信号がマイクロホンケーブルのコネクタ部分から進入し、音声信号にノイズが入り込むケースが増えている。特にコンデンサーマイクロホンの場合は、その近くで携帯電話などを使用すると、携帯電話から出た高周波信号の影響を受けやすく、コネクタ部分から進入した高周波信号がノイズになりやすいという問題がある。
【先行技術文献】
【特許文献】
【００２１】
【特許文献１】特開２００６−６７１６５号公報
【特許文献２】特開２００７−３００５９８号公報
【発明の開示】
【発明が解決しようとする課題】
【００２２】
本発明は、以上説明した従来技術の問題点を解消するためになされたもので、コネクタに進入しようとする電磁波を確実に遮蔽して、マイクロホンで電気信号に変換された音声信号にノイズが乗ることを防止することができるコンデンサーマイクロホンのコネクタを提供することを目的とする。
【課題を解決するための手段】
【００２３】
本発明は、小径円筒部と大径円筒部を有しシールド材からなる圧縮スリーブと、芯線とシールド線を有し、端部においてシールド線の折り返し部を有するマイクロホンケーブルと、マイクロホンケーブルの芯線とシールド線が接続されるコネクタ部と、コネクタ部を覆うコネクタハウジングと、コネクタハウジングに嵌めこみ、内周に圧縮スリーブの大径円筒部に接合する肩を持つブッシュと、を具備し、圧縮スリーブの小径円筒部は、マイクロホンケーブルの端部におけるシールド線の折り返し部の外周側に嵌められて圧縮されることによって圧縮スリーブとシールド線が電気的に接続されるとともに、圧縮スリーブがマイクロホンケーブルに結合されており、圧縮スリーブの大径円筒部は、コネクタ部とマイクロホンケーブルの接続部に被せられ、圧縮スリーブの大径円筒部とコネクタハウジングが嵌まり合い、ブッシュは、圧縮スリーブを覆い、圧縮スリーブの大径円筒部の外周は、コネクタハウジングの内周に接し、圧縮スリーブの大径円筒部は、外周に鍔部を有し、この鍔部が上記コネクタハウジングの端部と、ブッシュの肩によって挟み込まれていることを最も主要な特徴とする。
【発明の効果】
【００２４】
コンデンサーマイクロホンのコネクタにおける圧縮スリーブの大径円筒部が、マイクロホンケーブル側端部の外周面に鍔部を有し、この鍔部がコネクタハウジングのマイクロホンケーブル側端部と、ブッシュ内周の肩によって挟み込まれて圧接されていることで、電磁波、特に高い周波数の電磁波が隙間からコネクタハウジング内部に入り込んでしまうことを防止することができる。さらにマイクロホンケーブルのシールド線からコネクタハウジングに至るまで電気的に確実に接続されて開放部が無く、コネクタ全体のシールド効果の向上に寄与している。
【図面の簡単な説明】
【００２５】
【図１】本発明にかかるコンデンサーマイクロホンのコネクタの実施例を組み立て順にしたがって示す断面図である。
【図２】上記実施例にかかるコンデンサーマイクロホンのコネクタの組み立て状態を示す断面図である。
【図３】上記実施例にかかるコンデンサーマイクロホンのコネクタの一部を拡大して示す断面図である。
【図４】従来のコンデンサーマイクロホンのコネクタの例を組み立て順にしたがって示す断面図である。
【図５】従来のコンデンサーマイクロホンのコネクタの別の例を示す一部断面側面図である。
【図６】従来のコンデンサーマイクロホンのコネクタの別の例を示す断面側面図である。
【図７】従来のコンデンサーマイクロホンのコネクタの別の例を示す断面側面図である。
【発明を実施するための形態】
【００２６】
以下、本発明にかかるコンデンサーマイクロホンのコネクタの実施例を、図面を参照しながら説明する。なお、図１ないし図３に示す本発明の実施例において、図４ないし図７に示す従来例の構成部分と同じ構成部分には共通の符号を付している。また、本発明にかかるコンデンサーマイクロホンは、圧縮スリーブの形状、コネクタハウジングおよびブッシュの構成に主に特徴がある。実施例において、本発明にかかるコネクタのその他構成は、特許文献１とほぼ同様であるが、本発明はそれに限定されるものではない。
【００２７】
図１、図２において、符号１０はコネクタ部を示している。コネクタ部１０は雌型で、図示されないマイクロホン側などの雄型コネクタが差し込まれることによって雌型コネクタ部１０と雄型コネクタとが電気的に接続されるようになっている。コネクタ部１０はいわゆる３ピン型で、マイクロホン側などの雄型コネクタと嵌まり合う３個のピンと、これらのピンと電気的に一体でコネクタ部１０の後端から突出した端子板を有している。各端子板にはマイクロホンケーブル２０の一端側の芯線２３，２４およびシールド線２２がそれぞれ半田付けによって接続されている。マイクロホンケーブル２０の外周側には絶縁スリーブ６０が通され、その後ろ側から圧縮スリーブ３０が通され、さらにその後からブッシュ４０が通されている。
【００２８】
絶縁スリーブ６０は、マイクロホンケーブル２０の一端側とコネクタ部１０との接続部（上述のコネクタ部１０の後端乃至マイクロホンケーブル２０のシールド線の折り返し部２１の前端まで）を後述の圧縮スリーブ３０の大径円筒部３３とともに囲むことによって、この接続部を保護するとともにこの接続部がショートするのを防止するためのもので、コネクタ部１０の外径とほぼ同じ外径の部材である。なお、上記接続部の保護の仕方は、上述のものに限らず、図５の従来例のように大径円筒部３１がコネクタ部と上記マイクロホンケーブルの接続部に被せられていてもよく、絶縁スリーブ６０をなくすこともできる。
【００２９】
圧縮スリーブ３０は、小径円筒部３２と大径円筒部３１を有してなり、小径円筒部３２と大径円筒部３１の間には、半径方向に広がる段部が形成されている。圧縮スリーブ３０はシールド材、すなわち導電材料からなり、シールド部材として機能する。大径円筒部３１は、マイクロホンケーブル２０の一端側とコネクタ部１０との接続部を、空間的な余裕を持って囲み、絶縁スリーブ６０の外径とほぼ同じ外径になっている。小径円筒部３２の内径は、マイクロホンケーブル２０の外形よりわずかに大きくなっている。マイクロホンケーブル２０の一端部では、芯線２３および芯線２４の外側に被せられているシールド線を外側に折り返すことによって、シールド線がマイクロホンケーブル２０のシースの上に被せられ、シールド線の折り返し部２１が形成されている。このシールド線の折り返し部２１の外側に圧縮スリーブ３０の小径円筒部３２を通し、この円筒部３２を圧縮することにより、圧縮スリーブ３０とシールド線が電気的に接続されるとともに、圧縮スリーブ３０がマイクロホンケーブル２０に結合されている。
【００３０】
圧縮スリーブ３０の大径円筒部３１は、外周面に鍔部３３を有している。大径円筒部３１の鍔部３３は、大径円筒部３１の外周面を１周するリング状の突部で形成されており、小径円筒部３２と大径円筒部３１の間の半径方向に広がる段部の外周部に形成されている。また、ブッシュ４０は、マイクロホンケーブル２０の外径よりわずかに大きな内径を持つテーパー状の根元部４１と、圧縮スリーブ３０を覆うことができ根元部４１よりも大径のカバー部４２と、内周に上記圧縮スリーブ３０の鍔部３３を押圧するように設計された肩４３を有してなる。図示のようにブッシュ４０の肩４３は、ブッシュ４０の内周の径を大径円筒部３１の外周の径より小さくしたことによりできている段部であり、ブッシュ４０を圧延スリーブ３０に嵌めたときに大径円筒部３１のケーブル側端部を押圧することができるように形成されている。また、ブッシュ４０のコネクタ部１０側の内周の径と大径円筒部３１の外径は略同じに設計されている。ブッシュ４０の肩４３は、上記圧縮スリーブ３０の大径円筒部３１の周面がブッシュ４０に覆われるように、長さ方向の適宜の位置に形成されている。
【００３１】
コネクタ部１０は円筒状のコネクタハウジング５０の内周側に嵌められる。コネクタハウジング５０は、コネクタ部１０、絶縁スリーブ６０、および圧縮スリーブ３０の大径円筒部３１を覆うことができるだけの長さを有している。そして、図２及び図３のように全体が組み立てられると、圧縮スリーブ３０の鍔部３３は、コネクタハウジング５０のマイクロホンケーブル２０側端部と、ブッシュ４０の肩４３によって挟み込まれて押圧される。圧縮スリーブ３０と鍔部３３は、いわゆる挽き物加工によって一体で形成されていると、コネクタハウジング５０と鍔部３３との図３で示す接触面Ｂにおける筋状の切削痕が、両者近似の形状となってよくかみ合わされ、電磁波をより強力にシールドすることができる。鍔部３３の立体形状としては適宜のものが選択できるが、コネクタハウジング５０との接触面が平坦に形成されていると電磁波の侵入を防ぐために好ましい。コネクタハウジング５０とブッシュ４２は、図３に符号Ｃで示すように、両者を螺合によって結合すれば、より強固に両者がかみ合うことになり好ましい。
【００３２】
上述のようにすることにより、電磁波、特に、携帯電話で使用されている電波のように高い周波数の電磁波が、コネクタハウジング５０とブッシュ４０と圧縮スリーブ３０の隙間などからコネクタハウジング５０内部に入り込むことを防止することができる。マイクロホンケーブル２０のシールド線からコネクタハウジング５０に至るまで電気的に確実に接続されて開放部が無く、コネクタ全体のシールド効果の向上に寄与している。
【００３３】
図１（ａ）（ｂ）（ｃ）は組み立て順を示している。図１（ａ）で示すように、コネクタ部１０の各端子板にマイクロホンケーブル２０の各線を半田付けしてマイクロホンケーブル２０をコネクタ部１０に接続する。図１（ｂ）で示すように、この半田付け後または半田付け前にマイクロホンケーブル２０に絶縁スリーブ６０、圧縮スリーブ３０を通し、絶縁スリーブ６０の前端をコネクタ部１０の後端に突き当てる。さらに絶縁スリーブ６０の後端部外周に圧縮スリーブ３０の大径円筒部３１の前端部内周を嵌め、これと同時に、圧縮スリーブ３０の小径円筒部３２を、マイクロホンケーブル２０のシールド線の折り返し部２１に、これを外側から囲むようして嵌める。次に、圧縮スリーブ３０の小径円筒部３２を圧縮し、圧縮スリーブ３０をマイクロホンケーブル２０に結合するとともに、マイクロホンケーブル２０のシールド線と圧縮スリーブ３０を電気的に一体となるように接続する。
【００３４】
次に、図１（ｃ）で示すように、コネクタ部１０、絶縁スリーブ６０、および圧縮スリーブ３０の大径円筒部３１に被せたコネクタハウジング５０の後端部外周をブッシュ４０の前端内周に嵌めて、コネクタハウジング５０とブッシュ４０を一体化する。こうすることによって、コネクタハウジング５０とブッシュ４０とともにコネクタ部１０、絶縁スリーブ６０、圧縮スリーブ３０およびマイクロホンケーブル２０が一体的に結合された形でコネクタが構成されている。また、図２、図３に示すように、圧縮スリーブ３０の外周に形成されている鍔部３３が、コネクタハウジング５０の端部と、ブッシュ４０の肩４３によって挟み込まれている。
【００３５】
以上説明した実施例によれば、電磁波、特に高い周波数の電磁波が、コネクタハウジング５０とブッシュ４０と圧縮スリーブ３０の隙間などからコネクタハウジング５０内部に入り込むことを防止することができる。さらに、コネクタ部１０とマイクロホンケーブル２０の接続部は圧縮スリーブ３０の大径円筒部３１と絶縁スリーブ６０で覆われ、圧縮スリーブ３０の小径円筒部３２はマイクロホンケーブル２０の端部におけるシールド線の折り返し部２２の外周側に嵌められ、かつ、圧縮されてマイクロホンケーブル２０のシールド線と電気的に接続され、また、圧縮スリーブ３０の大径円筒部３１はコネクタハウジング５０と嵌り合っているため、マイクロホンケーブル２０のシールド線からコネクタハウジング５０に至るまで、コネクタ１０とマイクロホンケーブル２０の接続部が連続してシールドされることになり、コネクタ１０とマイクロホンケーブル２０の接続部のシールド効果が高まる。また、コネクタ１０とマイクロホンケーブル２０の接続部は、小径円筒部３２と大径円筒部３１を有する一体構造の圧縮スリーブ３０で覆われ、小径円筒部３２は圧縮によってマイクロホンケーブル２０のシールド線に接続され、大径円筒部３１はコネクタハウジング５０との嵌まり合いによって電気的に接続されるため、マイクロホンケーブル２０のシールド線からコネクタハウジング５０に至るまで電気的に確実に接続され、シールドに対する開放部（開口部）が無く、コネクタ全体のシールド効果の向上に寄与している。
【００３６】
圧縮スリーブ３０の小径円筒部３２と大径円筒部３１の間には、半径方向に広がる段部が形成されているため、上記段部が、外部から進入しようとする高周波信号を有効に遮蔽し、この点からもコネクタ全体のシールド効果の向上に寄与している。マイクロホンケーブル２０のシールド線の折り返し部２２において圧縮スリーブ３０の小径円筒部３２が圧縮されているため、マイクロホンケーブル２０のシールド線と圧縮スリーブが確実に接続され、電気的な接触抵抗を低くすることができ、この点からもコネクタ全体のシールド効果の向上に寄与している。
【産業上の利用可能性】
【００３７】
本発明は、コンデンサーマイクロホン以外のマイクロホンのコネクタとして、あるいはマイクロホン用途以外のコネクタとして構成することも可能であるが、雑音源となる外部の高周波信号の影響を受けやすいコンデンサーマイクロホンのコネクタとして構成することにより、より大きな効果を得ることができる。また、本発明にかかるコンデンサーマイクロホンのコネクタの構成は、特に上述のもの限定されるものではなく、特許文献２に記載の発明のように、コンデンサーを構成するスリーブを組み込み、あるいは、導電性の布からなるリングなどを組み込んでもよい。
【符号の説明】
【００３８】
１０  コネクタ部
２０  マイクロホンケーブル
２１  シールド線の折り返し部
３０  圧縮スリーブ
３１  大径円筒部
３２  小径円筒部
３３  鍔部
４０  ブッシュ
４３  ブッシュ内面の肩
５０  コネクタハウジング
【図１】
2011087049.tif 000003
【図２】
2011087049.tif 000004
【図３】
2011087049.tif 000005
【図４】
2011087049.tif 000006
【図５】
2011087049.tif 000007
【図６】
2011087049.tif 000008
【図７】
2011087049.tif 000009